(57)【要約】【課題】各店舗が取り扱う商品構成パターンに基づいて売り上げを集計できる売上管理システム及び売上管理サーバを提供する。【解決手段】売上管理システムは、各店舗に設置されるＰＯＳ端末と、各ＰＯＳ端末から受信した売り上げ情報を店舗ごとに商品別に集計するストアコントローラと、店舗別商品名毎に売上金額を格納する集約データベース、グループ別に商品構成パターンを格納する商品構成テーブル、及びグループ別に商品構成パターンを格納するグループテーブルを備え、各ストアコントローラから受信した売り上げ情報を店舗の商品構成パターンに基づいて集計するセンタサーバと、を備える。【選択図】図８
2014160400.tif 000002
【特許請求の範囲】
【請求項１】
各店舗に設置されるＰＯＳ端末と、
前記各ＰＯＳ端末から受信した売り上げ情報を店舗ごとに商品別に集計するストアコントローラと、
店舗別商品名毎に売上金額を格納する集約データベース、グループ別に商品構成パターンを格納する商品構成テーブル、及びグループ別に商品構成パターンを格納するグループテーブルを備え、前記各ストアコントローラから受信した前記売り上げ情報を前記店舗の商品構成パターンに基づいて集計するセンタサーバと、
を備える売上管理システム。
【請求項２】
前記商品構成パターンは、
商品分類の最上位概念である部門より下位の概念であり、商品分類の最下位概念である商品コードより上位の概念である分類概念を少なくとも含む商品構成のパターンである請求項１記載の売上管理システム。
【請求項３】
店舗別商品名毎に売上金額を格納する集約データベースと、
グループ別に商品構成パターンを格納する商品構成テーブルと、
グループ別に商品構成パターンを格納するグループテーブルと、
各店舗に設置され、ＰＯＳ端末から受信した売り上げ情報を店舗ごとに商品別に集計する各ストアコントローラから受信した前記売り上げ情報を前記店舗の商品構成パターンに基づいて集計する制御部と、
を備える売上管理サーバ。
【請求項４】
前記商品構成パターンは、
商品分類の最上位概念である部門より下位の概念であり、商品分類の最下位概念である商品コードより上位の概念である分類概念を少なくとも含む商品構成のパターンである請求項３記載の売上管理サーバ。
【請求項５】
前記制御部は、
店舗ごとに、その店舗の商品構成パターンに基づいて集計した売上金額を入出力部に出力する請求項４記載の売上管理サーバ。
【発明の詳細な説明】
【技術分野】
【０００１】
本発明の実施形態は、売上管理システム及び売上管理サーバに関する。
【背景技術】
【０００２】
スーパーマーケットやコンビニエンスストアなどの小売業においては、いわゆるＰＯＳシステムが広く導入されている。このＰＯＳシステムは、多店舗にて導入する場合、店舗ごとの売り上げを集計するセンタサーバを備えることが多い。
【０００３】
センタサーバは、各店舗に設置されるストアコントローラから売り上げ情報を受信し、受信した売り上げ情報を集計する。
【０００４】
一方、各店舗が販売する商品の組み合わせは、各店舗によって全く異なるわけではなく、一定のパターンがある。例えば、食品を取り扱う店舗において、日配品を扱う店と扱わない店とに大別できる。
【０００５】
しかし、従来の売上管理システムにおいては、このような商品構成のパターンに基づいて売り上げを集計することができなかった。
【先行技術文献】
【特許文献】
【０００６】
【特許文献１】特開２０００−３３９５４６号公報
【特許文献２】特開２００８−７１１８６号公報
【発明の概要】
【発明が解決しようとする課題】
【０００７】
従って、各店舗が取り扱う商品構成パターンに基づいて売り上げを集計できる売上管理システム及び売上管理サーバが求められている。
【課題を解決するための手段】
【０００８】
上記の課題を解決するために、本発明の一実施形態は、各店舗に設置されるＰＯＳ端末と、各ＰＯＳ端末から受信した売り上げ情報を店舗ごとに商品別に集計するストアコントローラと、店舗別商品名毎に売上金額を格納する集約データベース、グループ別に商品構成パターンを格納する商品構成テーブル、及びグループ別に商品構成パターンを格納するグループテーブルを備え、各ストアコントローラから受信した売り上げ情報を店舗の商品構成パターンに基づいて集計するセンタサーバと、を備える売上管理システムを提供する。
【図面の簡単な説明】
【０００９】
【図１】売上管理システムの構成を表す図である。
【図２】集約データベースのデータ構成を示す図である。
【図３】商品構成テーブルのデータ構成を示す図である。
【図４】グループテーブルのデータ構成を示す図である。
【図５】商品マスタのデータ構成を示す図である。
【図６】センタサーバの入出力部に表示される集計グループ選択画面の例を示す図である。
【図７】センタサーバの入出力部に表示される集計結果画面の例を示す図である。
【図８】センタサーバの商品構成に基づく売上集計動作を示すフローチャートである。
【発明を実施するための形態】
【００１０】
以下、売上管理システム及び売上管理サーバの一実施形態について、図面を用いて詳細に説明する。
【００１１】
本実施形態の売上管理システムは、各店舗に設置されるＰＯＳ端末と、各ＰＯＳ端末から受信した売り上げ情報を店舗ごとに商品別に集計するストアコントローラと、店舗別商品名毎に売上金額を格納する集約データベース、グループ別に商品構成パターンを格納する商品構成テーブル、及びグループ別に商品構成パターンを格納するグループテーブルを備え、各ストアコントローラから受信した売り上げ情報を店舗の商品構成パターンに基づいて集計するセンタサーバと、を備える。
【００１２】
図１は、本実施形態の売上管理システムの構成を表す図である。図１に示すように、売上管理システムは、各店舗に設置されるＰＯＳ（Ｐｏｉｎｔ  ｏｆ  ｓａｌｅｓ）端末２１と、各ＰＯＳ端末２１の売り上げ情報を店舗ごとに集計するストアコントローラ２０と、各店舗から受信した売り上げ情報をその店舗の商品構成に基づいて集計するセンタサーバ１０と、を備える。
【００１３】
センタサーバ１０は本部１に設置される。センタサーバ１０は、演算処理を行うＣＰＵを備える制御部１０１と、キーボード、ディスプレイ、マウスなどの入出力装置を備える入出力部１０２と、ＲＯＭ、ＲＡＭ、ハードディスクドライブなどの記憶装置を備える記憶部１０４と、通信を行う通信部１０３と、を備える。
【００１４】
記憶部１０４は、店舗別、商品構成別、商品コード別の売上金額を格納する集約データベース（以下、データベースをＤＢという。）１０４Ａと、グループ別に商品構成のパターンを格納する商品構成テーブル１０４Ｂと、店舗別にそのテンポが属するグループを格納するグループテーブル１０４Ｃと、を備える。
【００１５】
通信部１０３は通信回線によって各店舗２のストアコントローラ２０と接続する。
【００１６】
ストアコントローラ２０は各店舗２に設置される。ストアコントローラ２０は、演算処理を行うＣＰＵを備える制御部２０１と、キーボード、ディスプレイ、マウスなどの入出力装置を備える入出力部２０２と、ＲＯＭ、ＲＡＭ、ハードディスクドライブなどの記憶装置を備える記憶部２０４と、通信を行う通信部２０３と、を備える。
【００１７】
記憶部２０４は、部門別、クラス別、商品コード別に売り上げを格納する商品マスタ２０４Ａを備える。
【００１８】
通信部２０３は、通信回線を介してセンタサーバ１０と、ＰＯＳ端末２１と、に接続する。
【００１９】
ＰＯＳ端末２１は、小計ボタンが押下されるごとに一取引ごとの売上金額を集計する。ＰＯＳ端末２１は締めの動作指示が入力された場合、その日の売上金額を部門別、クラス別、商品コード別に合計し、ストアコントローラ２０に送信する。
【００２０】
ストアコントローラ２０は、各ＰＯＳ端末から受信した売上金額を部門別、クラス別、商品コード別に合計し、センタサーバ１０に送信する。
【００２１】
センタサーバ１０は、各ストアコントローラ２０から受信した売上金額を店舗別、商品構成別、商品コード別に集約ＤＢ１０４Ａに格納する。
【００２２】
図２は、集約ＤＢ１０４Ａのデータ構成を示す図である。図２に示すように、集約ＤＢ１０４Ａは、店舗の名称である「店名」と、各店舗の商品構成を示す分類である「商品構成」と、各商品に固有に割り当てられる商品コードと、売上金額を示す「売上」と、を格納する。
【００２３】
商品構成は、例えば、商品の最上位カテゴリーの「部門」と、部門の下位概念である「クラス」と、を含めることができる。すなわち、商品構成は、商品分類の最上位概念である部門より下位の概念であり、商品分類の最下位概念である商品コードより上位の概念である「クラス」を含む。
【００２４】
各データの例は、店名が「大仁店」、部門が「食品」、クラスが「日配品」、商品名が「Ｍ牛乳」、商品コードが「１２３４５６」、売上が「６０００」である。
【００２５】
図３は、商品構成テーブル１０４Ｂのデータ構成を示す図である。図３に示すように、商品構成テーブル１０４Ｂは、商品構成のパターンごとに固有に割り当てられる「グループ」と、「部門」と、「クラス」と、を格納する。
【００２６】
各データの例は、グループが「Ａ」、部門が「食品」、クラスが「日配品」、「缶詰」等の商品構成のパターンである。
【００２７】
図４は、グループテーブル１０４Ｃのデータ構成を示す図である。図４に示すように、グループテーブル１０４Ｃは、「店名」と、「グループ」と、を格納する。
【００２８】
各データの例は、店名が「大仁店」、グループが「Ａ」である。
【００２９】
図５は、商品マスタ２０４Ａのデータ構成を示す図である。図５に示すように、商品マスタ２０４Ａは、「部門」と、「クラス」と、「商品名」と、店舗ごとの「売上」と、を格納する。
【００３０】
各データの例は、部門が「食品」、クラスが「日配品」、商品名が「Ｍ牛乳」、売上が「６０００」である。
【００３１】
図６は、センタサーバ１０の入出力部１０２に表示される集計グループ選択画面の例を示す図である。図６に示すように、センタサーバ１０は集計グループ選択画面に、グループの指定を選択するグループボタン６０１と、集計するグループを選択するための選択手段６０２と、を表示する。
【００３２】
図７は、センタサーバ１０の入出力部１０２に表示される集計結果画面の例を示す図である。図７に示すように、センタサーバ１０は集計結果画面に、店舗を選択するための店舗選択メニュー７０１と、商品構成に基づいた集計結果７０２と、を表示する。
【００３３】
図８は、センタサーバ１０の商品構成に基づく売上集計動作を示すフローチャートである。図８に示すように、ステップ８０１において、センタサーバ１０は、グループの指定後に店舗名を入力する。
【００３４】
ステップ８０２において、センタサーバ１０は、入力した店名に基づいてグループテーブル１０４Ｃを検索し、当該店舗が属するグループ名を読み出す。
【００３５】
ステップ８０３において、センタサーバ１０は、読み出したグループ名に基づいて商品構成テーブル１０４Ｂを検索し、当該グループの商品構成パターンを読み出す。
【００３６】
ステップ８０４において、センタサーバ１０は入力した店名に基づいて集約ＤＢ１０４Ａを検索し、読み出した商品構成に基づいて売上金額を集計する。
【００３７】
ステップ８０５において、センタサーバ１０は集計結果を入出力部１０２に出力する。
【００３８】
以上述べたように、本実施形態の売上管理システムは、各店舗に設置されるＰＯＳ端末２１と、各ＰＯＳ端末２１から受信した売り上げ情報を店舗ごとに商品別に集計するストアコントローラ２０と、店舗別商品名毎に売上金額を格納する集約ＤＢ１０４Ａ、グループ別に商品構成パターンを格納する商品構成テーブル１０４Ｂ、及びグループ別に商品構成パターンを格納するグループテーブル１０４Ｃを備え、各ストアコントローラ２０から受信した売り上げ情報をその店舗の商品構成に基づいて集計するセンタサーバ１０と、を備える。
【００３９】
従って、各店舗が取り扱う商品構成パターンに基づいて売り上げを集計できるという効果がある。
【００４０】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４１】
１０：センタサーバ
２０：ストアコントローラ
２１：ＰＯＳ端末
１０４Ａ：集約データベース
１０４Ｂ：商品構成テーブル
１０４Ｃ：グループテーブル
【図１】
2014160400.tif 000003
【図２】
2014160400.tif 000004
【図３】
2014160400.tif 000005
【図４】
2014160400.tif 000006
【図５】
2014160400.tif 000007
【図６】
2014160400.tif 000008
【図７】
2014160400.tif 000009
【図８】
2014160400.tif 000010